(57)【特許請求の範囲】
【請求項１】
複数の光パスクロスコネクトと、この複数の光パスクロスコネクト間を相互に接続する伝送リンクとを備え、
発側の光パスクロスコネクトと着側の光パスクロスコネクトとの間に光パスが設定され、
この光パスは複数の光パスクロスコネクトにより中継される
オールオプティカルネットワークにおいて、
前記光パスクロスコネクトは、
前記光パスにより伝送される光信号を分岐する手段と、
この分岐する手段により分岐された一方の光信号を電気信号に変換する手段と、
当該電気信号の信号品質劣化を検出する手段と、
この検出する手段の検出結果が当該電気信号の信号品質劣化を検出したときには前記光パス上で自光パスクロスコネクトよりも前記発側の光パスクロスコネクト方向にある他の光パスクロスコネクトに前記光パスにより伝送される光信号に対して３Ｒ(Reshaping;Retiming;Regenerating)処理を施す必要が有る旨を示す３Ｒ指示を送出する手段と、
自光パスクロスコネクトが当該３Ｒ指示を受け取ったときには前記光パスにより伝送される光信号を３Ｒ処理する手段と
を備えたことを特徴とするオールオプティカルネットワーク。
【請求項２】
前記３Ｒ処理する手段の使用状況を他の光パスクロスコネクトに対して公告する手段を備え、
前記３Ｒ指示を送出する手段は、
前記公告を参照して他の光パスクロスコネクトにおける前記３Ｒ処理する手段の使用状況を認識する手段と、
この認識する手段の認識結果に基づき前記光パス上で自光パスクロスコネクトよりも前記発側の光パスクロスコネクト方向にある他の光パスクロスコネクトの内で自光パスクロスコネクトが発する３Ｒ指示を受け入れ可能な最も近接した他の光パスクロスコネクトに対して３Ｒ指示を送出する手段と
を備えた請求項１記載のオールオプティカルネットワーク。
【請求項３】
前記３Ｒ処理する手段の使用状況を他の光パスクロスコネクトに対して公告する手段を備え、
前記３Ｒ指示を送出する手段は、
前記公告を参照して他の光パスクロスコネクトにおける前記３Ｒ処理する手段の使用状況を認識する手段と、
この認識する手段の認識結果に基づき前記光パス上で自光パスクロスコネクトよりも前記発側の光パスクロスコネクト方向にある他の光パスクロスコネクトの内で自光パスクロスコネクトが発する３Ｒ指示を受け入れ可能な最も３Ｒ処理能力の余裕度の高い他の光パスクロスコネクトに対して３Ｒ指示を送出する手段とを備えた請求項１記載のオールオプティカルネットワーク。
【請求項４】
複数の光パスクロスコネクトと、この複数の光パスクロスコネクト間を相互に接続する伝送リンクとを備え、
発側の光パスクロスコネクトと着側の光パスクロスコネクトとの間に光パスが設定され、
この光パスは複数の光パスクロスコネクトにより中継される
オールオプティカルネットワークに適用され、
前記光パスにより伝送される光信号を分岐する手段と、
この分岐する手段により分岐された一方の光信号を電気信号に変換する手段と、
当該電気信号の信号品質劣化を検出する手段と、
この検出する手段の検出結果が当該電気信号の信号品質劣化を検出したときには前記光パス上で自光パスクロスコネクトよりも前記発側の光パスクロスコネクト方向にある他の光パスクロスコネクトに前記光パスにより伝送される光信号に対して３Ｒ処理を施す必要が有る旨を示す３Ｒ指示を送出する手段と、
自光パスクロスコネクトが当該３Ｒ指示を受け取ったときには前記光パスにより伝送される光信号を３Ｒ処理する手段と
を備えたことを特徴とする光パスクロスコネクト。
【請求項５】
前記３Ｒ処理する手段の使用状況を他の光パスクロスコネクトに対して公告する手段を備え、
前記３Ｒ指示を送出する手段は、
前記公告を参照して他の光パスクロスコネクトにおける前記３Ｒ処理する手段の使用状況を認識する手段と、
この認識する手段の認識結果に基づき前記光パス上で自光パスクロスコネクトよりも前記発側の光パスクロスコネクト方向にある他の光パスクロスコネクトの内で自光パスクロスコネクトが発する３Ｒ指示を受け入れ可能な最も近接した他の光パスクロスコネクトに対して３Ｒ指示を送出する手段と
を備えた請求項４記載の光パスクロスコネクト。
【請求項６】
前記３Ｒ処理する手段の使用状況を他の光パスクロスコネクトに対して公告する手段を備え、
前記３Ｒ指示を送出する手段は、
前記公告を参照して他の光パスクロスコネクトにおける前記３Ｒ処理する手段の使用状況を認識する手段と、
この認識する手段の認識結果に基づき前記光パス上で自光パスクロスコネクトよりも前記発側の光パスクロスコネクト方向にある他の光パスクロスコネクトの内で自光パスクロスコネクトが発する３Ｒ指示を受け入れ可能な最も３Ｒ処理能力の余裕度の高い他の光パスクロスコネクトに対して３Ｒ指示を送出する手段とを備えた請求項４記載の光パスクロスコネクト。
【請求項７】
情報処理装置にインストールすることにより、その情報処理装置に、
複数の光パスクロスコネクトと、この複数の光パスクロスコネクト間を相互に接続する伝送リンクとを備え、
発側の光パスクロスコネクトと着側の光パスクロスコネクトとの間に光パスが設定され、
この光パスは複数の光パスクロスコネクトにより中継される
オールオプティカルネットワークに適用され、
前記光パスにより伝送される光信号を分岐し、この分岐された一方の光信号を電気信号に変換し、当該電気信号の信号品質劣化を検出し、前記光パスにより伝送される光信号を３Ｒ処理する光パスクロスコネクトを制御する装置としての機能を実現させるプログラムにおいて、
前記検出結果が前記電気信号の信号品質劣化を検出したときには前記光パス上で自己が制御する光パスクロスコネクトよりも前記発側の光パスクロスコネクト方向にある他の光パスクロスコネクトに前記光パスにより伝送される光信号に対して３Ｒ処理を施す必要が有る旨を示す３Ｒ指示を送出する機能を実現させる
ことを特徴とするプログラム。
【請求項８】
３Ｒ処理する能力の余裕度を他の光パスクロスコネクトに対して公告する機能を実現させ、
前記３Ｒ指示を送出する機能として、
前記公告を参照して他の光パスクロスコネクトにおける前記３Ｒ処理する能力の余裕度を認識する機能と、
この認識する機能の認識結果に基づき前記光パス上で自己が制御する光パスクロスコネクトよりも前記発側の光パスクロスコネクト方向にある他の光パスクロスコネクトの内で自己が制御する光パスクロスコネクトが発する３Ｒ指示を受け入れ可能な最も近接した他の光パスクロスコネクトに対して３Ｒ指示を送出する機能と
を実現させる請求項７記載のプログラム。
【請求項９】
３Ｒ処理する能力の余裕度を他の光パスクロスコネクトに対して公告する機能を実現させ、
前記３Ｒ指示を送出する機能として、
前記公告を参照して他の光パスクロスコネクトにおける前記３Ｒ処理する能力の余裕度を認識する機能と、
この認識する機能の認識結果に基づき前記光パス上で自己が制御する光パスクロスコネクトよりも前記発側の光パスクロスコネクト方向にある他の光パスクロスコネクトの内で自己が制御する光パスクロスコネクトが発する３Ｒ指示を受け入れ可能な最も３Ｒ処理能力の余裕度の高い他の光パスクロスコネクトに対して３Ｒ指示を送出する機能と
を実現させる請求項７記載のプログラム。
【請求項１０】
請求項７ないし９のいずれかに記載のプログラムが記録された前記情報処理装置読取可能な記録媒体。
【請求項１１】
複数の光パスクロスコネクトと、この複数の光パスクロスコネクト間を相互に接続する伝送リンクとを備え、
発側の光パスクロスコネクトと着側の光パスクロスコネクトとの間に光パスが設定され、
この光パスは複数の光パスクロスコネクトにより中継される
オールオプティカルネットワークに適用される３Ｒ処理方法において、
前記光パスクロスコネクトにより、前記光パスにより伝送される光信号を分岐し、この分岐された一方の光信号を電気信号に変換して当該電気信号の信号品質劣化を検出し、この検出結果が当該電気信号の信号品質劣化を検出したときには前記光パス上で前記電気信号の品質劣化を検出した光パスクロスコネクトよりも前記発側の光パスクロスコネクト方向にある他の光パスクロスコネクトに前記光パスにより伝送される光信号に対して３Ｒ処理を施す必要が有る旨を示す３Ｒ指示を送出し、当該３Ｒ指示を受け取った光パスクロスコネクトでは前記光パスにより伝送される光信号を３Ｒ処理する
ことを特徴とする３Ｒ処理方法。
【請求項１２】
各光パスクロスコネクトは３Ｒ処理する能力の余裕度を他の光パスクロスコネクトに対して公告し、光パスクロスコネクトが３Ｒ指示を送出するときには、他の光パスクロスコネクトから受け取った前記公告を参照して他の光パスクロスコネクトにおける前記３Ｒ処理する能力の余裕度を認識し、この認識結果に基づき前記光パス上で３Ｒ指示を送出する光パスクロスコネクトよりも前記発側の光パスクロスコネクト方向にある他の光パスクロスコネクトの内で３Ｒ指示を受け入れ可能な最も近接した他の光パスクロスコネクトに対して３Ｒ指示を送出する
請求項１１記載の３Ｒ処理方法。
【請求項１３】
各光パスクロスコネクトは３Ｒ処理する能力の余裕度を他の光パスクロスコネクトに対して公告し、光パスクロスコネクトが３Ｒ指示を送出するときには、他の光パスクロスコネクトから受け取った前記公告を参照して他の光パスクロスコネクトにおける前記３Ｒ処理する能力の余裕度を認識し、この認識結果に基づき前記光パス上で３Ｒ指示を送出する光パスクロスコネクトよりも前記発側の光パスクロスコネクト方向にある他の光パスクロスコネクトの内で３Ｒ指示を受け入れ可能な最も３Ｒ処理能力の余裕度の高い他の光パスクロスコネクトに対して３Ｒ指示を送出する
請求項１１記載の３Ｒ処理方法。
【発明の詳細な説明】
【０００１】
【発明の属する技術分野】
本発明はオールオプティカルネットワーク（以下、ＡＯＮという）に利用する。特に、光信号の再生中継である３Ｒ(Reshaping;Retiming;Regenerating)処理を考慮した光パスの経路制御または設定制御に関する。
【０００２】
【従来の技術】
ネットワークコストを大幅に削減するためのネットワークとしてＡＯＮが検討されている。ＡＯＮでは個々の通信はネットワーク内に設定される光パスを介して行われる。ＡＯＮは光パスクロスコネクト（以下、ＰＸＣという）と伝送リンクとから構成され、光パスの設定は、発側のＰＸＣから着側のＰＸＣまでの区間の各ＰＸＣの入力伝送リンクと出力伝送リンクの接続関係を保持するクロスコネクトテーブルを設定することにより行われる。ＰＸＣの実現方法としては熱光学効果を用いたＴＯ−ＳＷや微小電気機械可動式ミラーなどの技術を用いたものがある。
【０００３】
電気信号処理装置は電気信号の速度が高速になればなるほど高価となる。現状では１０Ｇｂ／ｓから４０Ｇｂ／ｓといったところが実用化レベルでは上限の速度であり、このような電気信号処理装置は非常に高価である。ＡＯＮにおいては光信号は光のまま伝送されるので、高価な電気信号処理装置が不要となり、ネットワークコストが大幅に削減される。また、ＡＯＮは光信号のまま伝送が行われるネットワークなので、電気信号処理技術が高速化しても同じネットワークを使い続けることができるメリットがある。
【０００４】
ＡＯＮにおいて光パスを設定する際に、光ファイバ中を光信号が伝送される際の伝送特性を考慮する必要がある。すなわち、光ファイバの分散、分散スロープ、ＰＭＤ(Polarization Mode Dispersion)やＡＳＥ(Amplifier Spontaneous Emission)などが光信号のまま伝送できる距離を制限する。
【０００５】
例えば、ＰＭＤによる信号劣化を考慮した場合の伝送距離の上限は図７のようになる。図７はＰＭＤによるオールオプティカル信号の伝送距離限界を示す図であり、横軸にビットレートをとり、縦軸に伝送距離をとる。ここでＤは光ファイバのＰＭＤ係数であり、単位はｐｓ／ｋｍ１／２である。したがって、ＡＯＮ内では伝送距離制限を越えないように経路制御を行う必要がある。
【０００６】
【発明が解決しようとする課題】
従来は光パスの経路を選択する際に、上記の伝送特性を制約条件に入れて最短経路を求めていた。例えば、文献[J.Strand and A.L.Chiu,"Issues for routing in the optical layer,"IEEE Commun.Mag.,Vol.39,No.2,pp.81-87,2/01]では、ＰＭＤやＡＳＥなどのパラメータをＯＳＰＦ(Open Shortest Path First)を拡張してフラッディング公告し、各ノードで自律分散的に経路制御を行うことが提案されている。
【０００７】
このような従来の技術では、光ファイバのＰＭＤやＡＳＥなどの特性を調べる必要があるが、既に敷設された光ファイバのこれらの特性を１本ずつ調べるのは非常に手間がかかり困難である。また、最短経路計算のときにこれらの制約条件を考慮に入れるのは煩雑であり、どこで３Ｒ中継を行うべきかを決定するのは容易ではない。
【０００８】
また、このような計算により得られた結果の信頼性は必ずしも高くなく、実用上の安全策として、余分に３Ｒ実施箇所を設けるなどの対策が必要であり、網リソースの有効利用を図る上で望ましくない。
【０００９】
本発明は、このような背景に行われたものであって、３Ｒ実施箇所の設定に要する手間と時間を少なくすることができるとともに、正確な３Ｒ実施箇所を特定することができ、網リソースの有効利用を図ることができるＡＯＮおよびＰＸＣおよびプログラムおよび記録媒体および３Ｒ処理方法を提供することを目的とする。
【００１０】
なお、本明細書における発側のＰＸＣおよび着側のＰＸＣとは、データ転送に先立って光パス設定のためのリクエストを送出する側のＰＸＣを発側のＰＸＣといい、このリクエストの終端先となるＰＸＣを着側のＰＸＣという。光パス設定後におけるデータ転送の際には、発側のＰＸＣまたは着側のＰＸＣのいずれもがデータ発信元またはデータ受信先になることができる。また、設定されたパスは、単方向パスであっても双方向パスであってもよい。
【００１１】
【課題を解決するための手段】
本発明は、ＡＯＮ上で、いずれの箇所で３Ｒ処理を行う必要があるかという計算を行う必要がなく、光パスの設定に要する手間と時間を少なくすることができる。さらに、実験的に３Ｒ実施箇所を決定するので、その位置は正確であり、余分な３Ｒ実施箇所を設ける必要もなく、網リソースの有効利用を図ることができる。
【００１２】
すなわち、本発明の第一の観点は、複数のＰＸＣと、この複数のＰＸＣ間を相互に接続する伝送リンクとを備え、発側のＰＸＣと着側のＰＸＣとの間に光パスが設定され、この光パスは複数のＰＸＣにより中継されるＡＯＮである。
【００１３】
ここで、本発明の特徴とするところは、前記ＰＸＣは、前記光パスにより伝送される光信号を分岐する手段と、この分岐する手段により分岐された一方の光信号を電気信号に変換する手段と、当該電気信号の信号品質劣化を検出する手段と、この検出する手段の検出結果が当該電気信号の信号品質劣化を検出したときには前記光パス上で自ＰＸＣよりも前記発側のＰＸＣ方向にある他のＰＸＣに前記光パスにより伝送される光信号に対して３Ｒ処理を施す必要が有る旨を示す３Ｒ指示を送出する手段と、自ＰＸＣが当該３Ｒ指示を受け取ったときには前記光パスにより伝送される光信号を３Ｒ処理する手段とを備えたところにある。
【００１４】
さらに、前記３Ｒ処理する手段の使用状況を他のＰＸＣに対して公告する手段を備え、前記３Ｒ指示を送出する手段は、前記公告を参照して他のＰＸＣにおける前記３Ｒ処理する手段の使用状況を認識する手段と、この認識する手段の認識結果に基づき前記光パス上で自ＰＸＣよりも前記発側のＰＸＣ方向にある他のＰＸＣの内で自ＰＸＣが発する３Ｒ指示を受け入れ可能な最も近接した他のＰＸＣに対して３Ｒ指示を送出する手段とを備えることが望ましい。
【００１５】
あるいは、前記３Ｒ処理する手段の使用状況を他のＰＸＣに対して公告する手段を備え、前記３Ｒ指示を送出する手段は、前記公告を参照して他のＰＸＣにおける前記３Ｒ処理する手段の使用状況を認識する手段と、この認識する手段の認識結果に基づき前記光パス上で自ＰＸＣよりも前記発側のＰＸＣ方向にある他のＰＸＣの内で自ＰＸＣが発する３Ｒ指示を受け入れ可能な最も３Ｒ処理能力の余裕度の高い他のＰＸＣに対して３Ｒ指示を送出する手段とを備えることが望ましい。
【００１６】
ここで、３Ｒ処理能力の余裕度とは、例えば、前記３Ｒ処理する手段は、複数の光パスに対して並行に３Ｒ処理を施すことができものとし、最大並行処理光パス数に対する実際に処理が行われている光パス数の割合を３Ｒ処理能力の余裕度とすることができる。
【００１７】
これにより、３Ｒ処理する能力の余裕度に応じて３Ｒ処理するＰＸＣを選択することができるため、網リソースを有効に利用することができる。例えば、信号品質劣化を検出したＰＸＣの直前のＰＸＣにおける３Ｒ処理する手段が塞がっている場合には、さらにその前段のＰＸＣに３Ｒ指示を送出する。そのＰＸＣでも３Ｒ処理する手段が塞がっている場合には、さらにその前段のＰＸＣに３Ｒ指示を送出するといったように、３Ｒ指示を上流に遡って与えることにより、空いている３Ｒ処理する手段を活用して網リソースを有効に利用することができる。あるいは、直前のＰＸＣにおける３Ｒ処理する手段に余裕があってもさらにその前段のＰＸＣにおける３Ｒ処理する手段にもっと大きな余裕がある場合には、余裕度の大きな方のＰＸＣに対して３Ｒ指示を送出するようにして網リソースの有効利用を図ることもできる。
【００１８】
本発明の第二の観点はＰＸＣであって、本発明の特徴とするところは、複数のＰＸＣと、この複数のＰＸＣ間を相互に接続する伝送リンクとを備え、発側のＰＸＣと着側のＰＸＣとの間に光パスが設定され、この光パスは複数のＰＸＣにより中継されるＡＯＮに適用され、前記光パスにより伝送される光信号を分岐する手段と、この分岐する手段により分岐された一方の光信号を電気信号に変換する手段と、当該電気信号の信号品質劣化を検出する手段と、この検出する手段の検出結果が当該電気信号の信号品質劣化を検出したときには前記光パス上で自ＰＸＣよりも前記発側のＰＸＣ方向にある他のＰＸＣに前記光パスにより伝送される光信号に対して３Ｒ処理を施す必要が有る旨を示す３Ｒ指示を送出する手段と、自ＰＸＣが当該３Ｒ指示を受け取ったときには前記光パスにより伝送される光信号を３Ｒ処理する手段とを備えたところにある。
【００１９】
さらに、前記３Ｒ処理する手段の使用状況を他のＰＸＣに対して公告する手段を備え、前記３Ｒ指示を送出する手段は、前記公告を参照して他のＰＸＣにおける前記３Ｒ処理する手段の使用状況を認識する手段と、この認識する手段の認識結果に基づき前記光パス上で自ＰＸＣよりも前記発側のＰＸＣ方向にある他のＰＸＣの内で自ＰＸＣが発する３Ｒ指示を受け入れ可能な最も近接した他のＰＸＣに対して３Ｒ指示を送出する手段とを備えることが望ましい。
【００２０】
あるいは、前記３Ｒ処理する手段の使用状況を他のＰＸＣに対して公告する手段を備え、前記３Ｒ指示を送出する手段は、前記公告を参照して他のＰＸＣにおける前記３Ｒ処理する手段の使用状況を認識する手段と、この認識する手段の認識結果に基づき前記光パス上で自ＰＸＣよりも前記発側のＰＸＣ方向にある他のＰＸＣの内で自ＰＸＣが発する３Ｒ指示を受け入れ可能な最も３Ｒ処理能力の余裕度の高い他のＰＸＣに対して３Ｒ指示を送出する手段とを備えることが望ましい。
【００２１】
本発明の第三の観点は、情報処理装置にインストールすることにより、その情報処理装置に、複数のＰＸＣと、この複数のＰＸＣ間を相互に接続する伝送リンクとを備え、発側のＰＸＣと着側のＰＸＣとの間に光パスが設定され、この光パスは複数のＰＸＣにより中継されるオールオプティカルネットワークに適用され、前記光パスにより伝送される光信号を分岐し、この分岐された一方の光信号を電気信号に変換し、当該電気信号の信号品質劣化を検出し、前記光パスにより伝送される光信号を３Ｒ処理するＰＸＣを制御する装置としての機能を実現させるプログラムである。
【００２２】
ここで、本発明の特徴とするところは、前記検出結果が前記電気信号の信号品質劣化を検出したときには前記光パス上で自己が制御するＰＸＣよりも前記発側のＰＸＣ方向にある他のＰＸＣに前記光パスにより伝送される光信号に対して３Ｒ処理を施す必要が有る旨を示す３Ｒ指示を送出する機能を実現させるところにある。
【００２３】
さらに、３Ｒ処理する能力の余裕度を他のＰＸＣに対して公告する機能を実現させ、前記３Ｒ指示を送出する機能として、前記公告を参照して他のＰＸＣにおける前記３Ｒ処理する能力の余裕度を認識する機能と、この認識する機能の認識結果に基づき前記光パス上で自己が制御するＰＸＣよりも前記発側のＰＸＣ方向にある他のＰＸＣの内で自己が制御するＰＸＣが発する３Ｒ指示を受け入れ可能な最も近接した他のＰＸＣに対して３Ｒ指示を送出する機能とを実現させることが望ましい。
【００２４】
あるいは、３Ｒ処理する能力の余裕度を他のＰＸＣに対して公告する機能を実現させ、前記３Ｒ指示を送出する機能として、前記公告を参照して他のＰＸＣにおける前記３Ｒ処理する能力の余裕度を認識する機能と、この認識する機能の認識結果に基づき前記光パス上で自己が制御するＰＸＣよりも前記発側のＰＸＣ方向にある他のＰＸＣの内で自己が制御するＰＸＣが発する３Ｒ指示を受け入れ可能な最も３Ｒ処理能力の余裕度の高い他のＰＸＣに対して３Ｒ指示を送出する機能とを実現させることが望ましい。
【００２５】
本発明の第四の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００２６】
これにより、コンピュータ装置等の情報処理装置を用いて、３Ｒ実施箇所の設定に要する手間と時間を少なくすることができるとともに、正確な３Ｒ実施箇所を特定することができ、網リソースの有効利用を図ることができるＰＸＣおよびＡＯＮを実現することができる。
【００２７】
本発明の第五の観点は、複数のＰＸＣと、この複数のＰＸＣ間を相互に接続する伝送リンクとを備え、発側のＰＸＣと着側のＰＸＣとの間に光パスが設定され、この光パスは複数のＰＸＣにより中継されるＡＯＮに適用される３Ｒ処理方法である。
【００２８】
ここで、本発明の特徴とするところは、前記ＰＸＣにより、前記光パスにより伝送される光信号を分岐し、この分岐された一方の光信号を電気信号に変換して当該電気信号の信号品質劣化を検出し、この検出結果が当該電気信号の信号品質劣化を検出したときには前記光パス上で前記電気信号の品質劣化を検出したＰＸＣよりも前記発側のＰＸＣ方向にある他のＰＸＣに前記光パスにより伝送される光信号に対して３Ｒ処理を施す必要が有る旨を示す３Ｒ指示を送出し、当該３Ｒ指示を受け取ったＰＸＣでは前記光パスにより伝送される光信号を３Ｒ処理するところにある。
【００２９】
さらに、各ＰＸＣは３Ｒ処理する能力の余裕度を他のＰＸＣに対して公告し、ＰＸＣが３Ｒ指示を送出するときには、他のＰＸＣから受け取った前記公告を参照して他のＰＸＣにおける前記３Ｒ処理する能力の余裕度を認識し、この認識結果に基づき前記光パス上で３Ｒ指示を送出するＰＸＣよりも前記発側のＰＸＣ方向にある他のＰＸＣの内で３Ｒ指示を受け入れ可能な最も近接した他のＰＸＣに対して３Ｒ指示を送出することが望ましい。
【００３０】
あるいは、各ＰＸＣは３Ｒ処理する能力の余裕度を他のＰＸＣに対して公告し、ＰＸＣが３Ｒ指示を送出するときには、他のＰＸＣから受け取った前記公告を参照して他のＰＸＣにおける前記３Ｒ処理する能力の余裕度を認識し、この認識結果に基づき前記光パス上で３Ｒ指示を送出するＰＸＣよりも前記発側のＰＸＣ方向にある他のＰＸＣの内で３Ｒ指示を受け入れ可能な最も３Ｒ処理能力の余裕度の高い他のＰＸＣに対して３Ｒ指示を送出することが望ましい。
【００３１】
【発明の実施の形態】
本発明実施例を図１ないし図６を参照して説明する。図１は本実施例のＰＸＣのブロック構成図である。図２は本実施例の３Ｒ用トランクのブロック構成図である。図３は本実施例のＡＯＮの概念図である。図４ないし図６は本実施例の３Ｒ処理方法を説明するための図である。
【００３２】
本実施例は、図３に示すように、複数のＰＸＣと、この複数のＰＸＣ間を相互に接続する伝送リンクとを備え、発側のＰＸＣ（Ａ）と着側のＰＸＣ（Ｊ）との間に光パス（実線）が設定され、この光パスは複数のＰＸＣ（Ｂ、Ｃ、Ｄ、Ｅ、Ｆ、Ｇ、Ｈ、Ｉ）により中継されるＡＯＮである。
【００３３】
ここで、本発明の特徴とするところは、図１に示すように、ＰＸＣは、前記光パスにより伝送される光信号を分岐する光分岐器１０と、３Ｒ用トランク２０として、図２に示すように、この光分岐器１０により分岐された一方の光信号を電気信号に変換する光電気変換部１と、当該電気信号の信号品質劣化を検出する信号品質劣化検出部２と、この信号品質劣化検出部２の検出結果が当該電気信号の信号品質劣化を検出したときには前記光パス上で自ＰＸＣよりも発側のＰＸＣ（Ａ）方向にある他のＰＸＣに前記光パスにより伝送される光信号に対して３Ｒ処理を施す必要が有る旨を示す３Ｒ指示を送出する３Ｒ指示部３と、自ＰＸＣが当該３Ｒ指示を受け取ったときには前記光パスにより伝送される光信号を３Ｒ処理する３Ｒ処理部４とを備えたところにある。
【００３４】
さらに、３Ｒ用トランク２０として、３Ｒ処理部４の使用状況を他の光パスクロスコネクトに対して公告する使用状況公告部６を備え、３Ｒ指示部３は、前記公告を参照して他のＰＸＣにおける３Ｒ処理部４の使用状況を認識し、この認識結果に基づき前記光パス上で自光ＰＸＣよりも発側のＰＸＣ（Ａ）方向にある他のＰＸＣの内で自ＰＸＣが発する３Ｒ指示を受け入れ可能な最も近接した他のＰＸＣに対して３Ｒ指示を送出する。
【００３５】
あるいは、３Ｒ用トランク２０として、３Ｒ処理部４の使用状況を他の光パスクロスコネクトに対して公告する使用状況公告部６を備え、３Ｒ指示部３は、前記公告を参照して他のＰＸＣにおける３Ｒ処理部４の使用状況を認識し、この認識結果に基づき前記光パス上で自光ＰＸＣよりも発側のＰＸＣ（Ａ）方向にある他のＰＸＣの内で自ＰＸＣが発する３Ｒ指示を受け入れ可能な最も３Ｒ処理能力の余裕度の高い他のＰＸＣに対して３Ｒ指示を送出する。
【００３６】
なお、３Ｒ用トランク２０は、複数の光パスに対して並行に３Ｒ処理を施すことができるが、本実施例では、最大並行処理光パス数に対する実際に処理が行われている光パス数の割合を３Ｒ処理能力の余裕度とする。
【００３７】
本実施例のＰＸＣを制御する装置（図示せず）は、情報処理装置であるコンピュータ装置により実現することができる。すなわち、コンピュータ装置にインストールすることにより、そのコンピュータ装置に、図１に示すＰＸＣを制御する装置としての機能を実現させるプログラムであって、信号品質劣化検出部２の検出結果が信号品質劣化を検出したときには光パス上で自己が制御するＰＸＣよりも発側のＰＸＣ（Ａ）方向にある他のＰＸＣに前記光パスにより伝送される光信号に対して３Ｒ処理を施す必要が有る旨を示す３Ｒ指示を送出する３Ｒ指示部３に相応する機能を実現させるプログラムをインストールすることにより、そのコンピュータ装置を用いて本実施例のＰＸＣを制御する装置を実現することができる。
【００３８】
さらに、本実施例のプログラムは、コンピュータ装置にインストールすることにより、そのコンピュータ装置に、３Ｒ処理部４の３Ｒ処理する能力の余裕度を他のＰＸＣに対して公告する使用状況公告部６に相応する機能を実現させ、３Ｒ指示部３に相応する機能として、前記公告を参照して他のＰＸＣにおける前記３Ｒ処理する能力の余裕度を認識する機能と、この認識する機能の認識結果に基づき前記光パス上で自己が制御するＰＸＣよりも発側のＰＸＣ（Ａ）方向にある他のＰＸＣの内で自己が制御するＰＸＣが発する３Ｒ指示を受け入れ可能な最も近接した他のＰＸＣに対して３Ｒ指示を送出する機能とを実現させる。
【００３９】
あるいは、本実施例のプログラムは、コンピュータ装置にインストールすることにより、そのコンピュータ装置に、３Ｒ処理部４の３Ｒ処理する能力の余裕度を他のＰＸＣに対して公告する使用状況公告部６に相応する機能を実現させ、３Ｒ指示部３に相応する機能として、前記公告を参照して他のＰＸＣにおける前記３Ｒ処理する能力の余裕度を認識する機能と、この認識する機能の認識結果に基づき前記光パス上で自己が制御するＰＸＣよりも発側のＰＸＣ（Ａ）方向にある他のＰＸＣの内で自己が制御するＰＸＣが発する３Ｒ指示を受け入れ可能な最も３Ｒ処理能力の余裕度の高い他のＰＸＣに対して３Ｒ指示を送出する機能とを実現させる。
【００４０】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００４１】
これにより、コンピュータ装置を用いて、３Ｒ実施箇所の設定に要する手間と時間を少なくすることができるとともに、正確な３Ｒ実施箇所を特定することができ、網リソースの有効利用を図ることができるＰＸＣおよびＡＯＮを実現することができる。
【００４２】
以下では、本実施例をさらに詳細に説明する。
【００４３】
本実施例のＰＸＣの構成を図１に示す。ＰＸＣは光分岐器１０、ＡＯＮのスイッチ（ＯＳＷ）部３０、３Ｒ用トランク２０、光合波器４０により構成される。光信号が劣化しないものについては３Ｒ用トランク２０を介さずに直接入力ポートから出力ポートへ出力される。光信号が劣化するものに関しては、いったん３Ｒ用トランク２０へ引き込み３Ｒ処理を行った後に所望の出力ポートへ向けて出力する。３Ｒ処理では、いったん光信号を電気信号に変換してから３Ｒ処理を行う。
【００４４】
本実施例では、光パスを設定する際に発側のＰＸＣ（Ａ）から光信号を入力し、途中のＰＸＣでその光信号を順次３Ｒ用トランク２０へ引き込み、受信状態を監視し、信号品質劣化無しであれば、入力ポートから出力ポートへ直接クロスコネクトテーブルを設定し、信号品質劣化有りであれば、前段のＰＸＣに遡って、そのＰＸＣでいったん３Ｒ用トランク２０へ引き込み、光信号を再生した後に、出力ポートへ出力するようにクロスコネクトテーブルを設定する。このように適応的に３Ｒ用トランク２０へ光信号を引き込む。
【００４５】
図４および図５を参照して本実施例のＡＯＮにおける３Ｒ処理方法について説明する。まず、図３の実線で示したように、発側のＰＸＣ（Ａ）と着側のＰＸＣ（Ｊ）との間に、最少コストとなる最短経路に沿って光パスの設定を行う。ここでは経路制御には光信号の劣化を制約条件とはしない。そのかわり、上述したように、光パス設定のシグナリング時に発側のＰＸＣ（Ａ）から送信した光パス信号の劣化状況をモニタする。図４の例では、劣化を検出したＰＸＣの前段のＰＸＣで光信号を３Ｒ用トランク２０に引き込む。
【００４６】
また、図５に示すように、前段のＰＸＣで３Ｒ用トランク２０が塞がっていて捕捉できない場合はさらに前段に戻って３Ｒ用トランク２０の捕捉を試みる。最終的に最短経路に沿って光パスが設定できない場合は、当該最短経路による光パス設定をあきらめ、異なる第二最短経路に沿って光パスの設定を試みる。図３の一点鎖線で示した経路が他の最短経路の候補となる。
【００４７】
すなわち、３Ｒ終端すると電気信号のモニタが可能となるので、そこで光パスのセグメント分けを行い、ビットエラーの監視など精度の高い障害検出が可能となる。それらの区間毎に予備の光パスを設定することで信頼性の高い光パスの運用が可能となる。
【００４８】
また、図６に示すように、３Ｒ用トランク２０の使用状態に余裕を持たせるため、各ＰＸＣは自ＰＸＣの３Ｒ用トランク２０の使用状態を他のＰＸＣへフラッディング公告し、３Ｒ用トランク２０に空きが多いＰＸＣで３Ｒ処理を行うように指定することができる。図６の例では、信号品質劣化を検出したＰＸＣの一つ前および二つ前のＰＸＣの双方で、３Ｒ用トランク２０に空きがあり、いずれのＰＸＣでも３Ｒ処理が可能だが、３Ｒ用トランク２０の処理能力の余裕度を考慮して二つ前のＰＸＣにより３Ｒ処理が行われる。
【００４９】
（実施例まとめ）
３Ｒ処理では、いったん光信号を電気信号に変換してから、３Ｒ処理を行う。このため、信号のビットレートを意識した処理が必要になる。高速電気信号の処理装置は高価であり、経済的にネットワークを構成するためには３Ｒ処理量を必要最少な数に留めておくことが望ましい。このような観点からも本実施例のＡＯＮでは、本当に３Ｒ処理が必要な箇所で３Ｒ処理を行うことができるため、必要以上の３Ｒ処理が行われることを回避できる。
【００５０】
また、伝送技術の進歩による光信号の高速化に対応するためにも３Ｒ処理は着脱可能な構成を採ることが望ましい。このような観点からも本実施例で示したＡＯＮは有効である。
【００５１】
【発明の効果】
以上説明したように、本発明によれば、３Ｒ実施箇所の設定に要する手間と時間を少なくすることができるとともに、正確な３Ｒ実施箇所を特定することができ、網リソースの有効利用を図ることができる。
【図面の簡単な説明】
【図１】本実施例のＰＸＣのブロック構成図。
【図２】本実施例の３Ｒ用トランクのブロック構成図。
【図３】本実施例のＡＯＮの概念図。
【図４】本実施例の３Ｒ処理方法を説明するための図（直前のＰＸＣによる３Ｒ処理）。
【図５】本実施例の３Ｒ処理方法を説明するための図（直前以外のＰＸＣによる３Ｒ処理）。
【図６】本実施例の３Ｒ処理方法を説明するための図（能力の余裕に応じた３Ｒ処理）。
【図７】ＰＭＤによるオールオプティカル信号の伝送距離限界を示す図。
【符号の説明】
１  光電気変換部
２  信号品質劣化検出部
３  ３Ｒ指示部
４  ３Ｒ処理部
５  電気光変換部
６  使用状況公告部
１０  光分岐器
２０  ３Ｒ用トランク
３０  スイッチ部
４０  光合波器
【図１】
0003740075.tif 000002
【図２】
0003740075.tif 000003
【図３】
0003740075.tif 000004
【図４】
0003740075.tif 000005
【図５】
0003740075.tif 000006
【図６】
0003740075.tif 000007
【図７】
0003740075.tif 000008